(57)【要約】【課題】サイズ直しをしても直接嵌め込まれた宝石がリング本体から外れたりまたは宝石が割れたりすることのないようにして、リング本体のサイズ直しを可能とし、従来に比べその期間を短縮できると共にその製作コストも低廉になし得る指輪を提供する。【解決手段】金属製のリング本体１に宝石３が直接嵌め込むことにより装着される指輪Ａであって、前記リング本体１の一部に自在に屈曲する可撓部６を成形し、該可撓部６は長さを自在に調節できる複数のリングユニット７ａ，７ｂをチェーン状に連結してなる。【選択図】図１
0003106133.tif 000002
【実用新案登録請求の範囲】
【請求項１】
金属製のリング本体に宝石が直接嵌め込むことにより装着される指輪であって、前記リング本体の一部に自在に屈曲する可撓部を成形し、前記可撓部は長さを自在に調節できる複数のリングユニットをチェーン状に連結してなることを特徴とする指輪。
【考案の詳細な説明】
【技術分野】
【０００１】
本考案は、宝石が装着される金属製の指輪に関するものである。
【背景技術】
【０００２】
従来、宝飾品である指輪は、金、銀、白金等の金属によって成形されており、しかも、豪華さを現出するためリング本体に台座部を一体に成形すると共にその台座部にダイヤモンド、オパール等の宝石を直接嵌め込むと共に接着することにより装着するようにしている（例えば、特許文献１参照。）。
【特許文献１】特開平９−５１８０９号公報（第２−３頁、図１）
【考案の開示】
【考案が解決しようとする課題】
【０００３】
ところで、前記のように宝石が装着される指輪にあっては、リング本体に曲げ力が加わると台座部を含めリング本体内に無用な応力が生じ、これによって、例えば前記台座部が歪んで変形し宝石が該台座部から外れたりまたは宝石が割れたりすることがあった。特に、台座部以外の個所に宝石を嵌め込んで装着する場合は甚だしかった。このため、リング本体の内径を調節する通常のサイズ直しには応じられないのが現状である。そこで、このような場合には、顧客の指のサイズに合った大きさのリング本体を初めから製作するようにしているが、その製作には多くの日数（例えば、４０日）を要するばかりか、その製作コストも高価になってしまい安くできないという課題があった。
【０００４】
そこで、本考案は上記課題を解決すべくなされたもので、サイズ直しをしても直接嵌め込まれた宝石がリング本体から外れたりまたは宝石が割れたりすることのないようにして、リング本体のサイズ直しを可能とし、従来に比べその期間を短縮できると共にその製作コストも低廉になし得る指輪を提供することを目的とするものである。
【課題を解決するための手段】
【０００５】
かかる目的を達成するため、本考案に係る指輪は、金属製のリング本体に宝石が直接嵌め込むことにより装着される指輪であって、前記リング本体の一部に自在に屈曲する可撓部を成形し、該可撓部は長さを自在に調節できる複数のリングユニットをチェーン状に連結してなる。
【０００６】
例えば、サイズ直しをしてリング本体の内径を小さくする場合は、前記複数のリングユニットの内のいずれか一つをその連結方向と直交する方向に切断して該連結方向に所定の幅切除し、その両切断端面を合わせてロー付けする。また、リング本体の内径を大きくする場合は、同様に前記複数のリングユニットのいずれか一つをその連結方向と直交する方向に切断し、その両切断端面間に所要幅の同等の地金片を介在させてロー付けする。
【０００７】
前記いずれの場合も、長さを短くまたは長く調節できるリングユニットをチエーン状に連結するようにしているので、リング本体に曲げ力が加わることがない。これにより、台座部を含めリング本体に無用な応力が生じて装着された宝石が外れたり割れたりすることがなくなる。
【考案の効果】
【０００８】
本考案に係る指輪は、長さを自在に調節できるリングユニットをチェーン状に連結するようにしているので、その内のいずれかのリングユニットを短くまたは長くしたとしても、リング本体に曲げ力が加わることがない。よって、サイズ直ししてもリング本体に無用な応力が生じて直接嵌め込まれた宝石が外れたりまたは宝石が割れたりすることがなくなる。これにより、リング本体のサイズ直しが可能となる。また、従来に比べその期間を短縮できると共に製作コストも低廉になし得るという有益な効果を奏する。
【考案を実施するための最良の形態】
【０００９】
以下、本考案に係る指輪の実施の形態を図面と共に説明する。図１は前から見た指輪の斜視図、図２は後から見た指輪の斜視図である。この指輪Ａは、金属製のリング本体１からなり、その上部に、正三角形の頂点に位置するようにして三個の台座部２，２，２が一体に成形され、各台座部２に貴石である宝石３が装着される。さらに、リング本体１の肩部１ａにかけても例えばホワイトトパーズといった半貴石３ａが装着されている。
【００１０】
前記各台座部２には、取付孔４が開設され、該取付孔４に宝石３が直接嵌め込まれて固定される。また、肩部１ａには、図３に示すようにその長手方向に沿って上下に貫設される隙間５が設けられ、その一側に半貴石３ａが直接嵌め込まれて固定されている。これら宝石３、半貴石３ａは、多くが接着剤を併用して固定される。前記リング体１としては、例えば、金、銀、白金、金と銀の合金等の貴金属が使用される。また、宝石３としては、例えば、ダイヤモンド、エメラルド、サファイア、オパール、ルビー等の各種の宝石が使用される。
【００１１】
そして、前記リング本体１の一部である下部に、その約半周に亘り自在に屈曲する可撓部６が設けられる。この可撓部６は、複数の短いリングユニット７ａ，７ｂをそれぞれチェーン状に連結して構成される。
【００１２】
更に、詳しく説明すると、リング本体１の上部側の両端部１ｂ，１ｂに、それぞれリングユニット７ａ，７ａが二個ずつ配置され、それら下端の各リングユニット７ａ，７ａ同士を一個のリングユニット７ｂで連結している。各リングユニット７ａ，７ｂはリング本体１と同じ材質が使用され、図４に示すように前記両側の二個のリングユニット７ａ，７ａはそれぞれ連結方向に沿って一端に凸部８、他端に該凸部８が嵌入し得る凹部９を設けて成形される。リング本体１の前記両端部１ｂ，１ｂには凸部８が設けられる。また、中央のリングユニット７ｂはその両側に近接するリングユニット７ａ，７ａの各凸部８，８が位置することから、その両端部に共に凹部９，９が設けられている。
【００１３】
前記各凸部８と各凹部９の両側とには、それぞれ嵌入した状態で互いに連通するピン孔１０，１１が開設されている。そして、各凹部９に各凸部８を嵌入すると共に各ピン孔１０，１１にピン１２を挿通してこれらリングユニット７ａ，７ｂが屈曲自在に連結される。各リングユニット７ａ，７ｂの連結構造は、この方法に限らず自在に屈曲するものであれば他の構成であっても良い。なお、前記各ピン１２の両端部は、本来、ロー付けにより各リングユニット７ａに一体に設けられ、その端面も綺麗に消されるようになっている。
【００１４】
本考案に係る指輪Ａは上記構成からなり、図５に示すように指に差し込んで使用される。この場合、可撓部６が自在に屈曲するので、指Ｙの外周面によくフィットし嵌め心地が良く窮屈な感じを受けることがない。
【００１５】
そして、指輪Ａを指Ｙに長く嵌めていて、その指輪Ａのサイズ直しをする場合は次のようにして行なう。すなわち、指Ｙが細くなって指輪Ａの内径を小さくする場合は、図６（イ）に示すように可撓部６の中央に位置するリングユニット７ｂを連結方向に対して直交する方向に切断して連結方向に所定の幅切除し、その切断端面１３，１３を合わせてロー付けする。これにより、所要の内径のリング本体１が成形できる。このように、チェーン状に成形された可撓部６の一部であるリングユニット７ｂを短くしても、リング本体１に曲げ力が加わって無用な応力が生ずるようなことはない。
【００１６】
次に、指Ｙが太くなって指輪Ａの内径を大きくする場合は、図６（ロ）に示すように可撓部６の中央に位置するリングユニット７ｂを長手方向に対して直交する方向に切断し、その切断端面１４，１４間に所要の長さの同質の地金片１５を介在させてこれらをロー付けする。これにより、所要の内径のリング本体１が成形できる。この場合も、前記と同様にリング本体１に曲げ力が加わって無用な応力が生ずるようなことはない。
【００１７】
以上のように、本考案に係る指輪Ａは、リングユニット７ａ，７ｂのいずれか一つを切断することによってリング本体１の内径を小さくまたは大きく調節することができる。しかも、リング本体１には曲げ力が加わって無用な応力が生じないことから、サイズ直しをしても台座部２、肩部１ａに直接嵌め込まれて固定される宝石３や半貴石３ａもそこから外れたり割れたりするようなことはない。これにより、リング本体１のサイズ直しが可能となる。また、このサイズ直しは例えば１週間程度で済む。
【００１８】
また、リング本体１の内径の異なる指輪Ａをあらかじめ段階的に複数個製作しておき、顧客に合わせ前記リングユニット７ａ，７ｂの長さを調節して仕上げるようにしても良い。
【００１９】
本実施の形態では、可撓部６に５つのリングユニット７ａ，７ｂを配置し、その中央のリングユニット７ｂを切断するようにしたが、これは外観上左右のバランスを考慮したものである。よって、できれば、リングユニット７ａ，７ｂの数は５、７、９…と奇数個が好ましいが、差し支えなければ偶数個であっても良い。また、前記可撓部６の各リングユニット７ａ，７ｂは、リング本体１と同じ材質のものを使用するようにしたが、異なる材質のものを使用しても良いこと勿論である。
【図面の簡単な説明】
【００２０】
【図１】前から見た指輪の斜視図。
【図２】後から見た指輪の斜視図。
【図３】図１のＸ−Ｘ線断面図。
【図４】可撓部の平面断面図。
【図５】指輪の使用状態図。
【図６】（イ）はリング本体の内径を小さくサイズ直しする場合の説明図、（ロ）はリング本体の内径を大きくサイズ直しする場合の説明図。
【符号の説明】
【００２１】
１                  リング本体
３                  宝石
６                  可撓部
７ａ                リングユニット
７ｂ                リングユニット
Ａ                  指輪
【図１】
0003106133.tif 000003
【図２】
0003106133.tif 000004
【図３】
0003106133.tif 000005
【図４】
0003106133.tif 000006
【図５】
0003106133.tif 000007
【図６】
0003106133.tif 000008